(57)【要約】本発明は、少なくとも５つの同心管で構成され、これらはガスの導入のための５つの同心空間を形成し、第１の管は最小径を有する管であり、第５の管は最大径を有する管であり、第３、第４および第５の管のクラウス炉に面する側の端部は同一平面上にあり、２つの中央管は互いに締結され、他の管に関してバーナーの長手中心軸に沿って可動であり、それらのクラウス炉に面する側の端部は、他の３つの管の端部により形成される面を越えて進むことはできず、第１の管と第２の管との間に形成される空間はクラウス炉に面する側において、バーナーへのガスの噴射方向でバーナーの周縁に向けて配向される燃料噴射器に終結する、クラウス炉用ガスバーナーに関する。クラウス炉で処理されるアンモニア含有ガスのアンモニア含有量に従い、２つの中央管はアンモニアの完全な除去が得られるように動かされる。
2004513322.tif 000002
【特許請求の範囲】
【請求項１】
少なくとも５つの同心管から構成され、前記５つの同心管はガスの導入のための５つの同心空間を形成し、前記第１の管は、最小径を有する管であり、前記第５の管は、最大径を有する管であり、
前記同心管のうち第３の管、第４の管および第５の管のクラウス炉に面する側の端部は、同一平面上にあり、
前記同心管のうち２つの中央管は、互いに締結され、前記同心管のうち他の管に関して、バーナーの長手中心軸に沿って可動であり、前記２つの中央管の前記クラウス炉に面する側の端部は、前記同心管のうち他の３つの管の端部により形成される面を越えて進むことはできず、および、
前記同心管のうち第１の管と第２の管との間に形成される空間は、前記クラウス炉に面する側において、前記バーナーへのガスの噴射方向でバーナーの周縁に向けて配向される燃料噴射器に終結することを特徴とする前記クラウス炉用ガスバーナー。
【請求項２】
前記中央管は、メカニカルベローズにより動かされることを特徴とする請求項１に記載のバーナー。
【請求項３】
前記第１の管と第２の管との間に形成される空間を終結させる前記燃料噴射器は、少なくとも１つのオリフィス環が穿孔された金属環の形態をなすことを特徴とする請求項１または２のいずれか一方に記載のバーナー。
【請求項４】
前記第１の管と第２の管との間に形成される空間を終結させる前記燃料噴射器は、前記バーナーへのガスの噴射方向で前記バーナーの周縁に向けて配向された２つの同心オリフィス環が穿孔された金属環の形態をなすことを特徴とする請求項３に記載のバーナー。
【請求項５】
前記第１の管と第２の管との間に形成される空間を終結させる前記２つの同心オリフィス環のそれぞれについて、同一の前記環の中の全てのオリフィスは、前記バーナーの中心軸に対して同じ角度に配向されていることを特徴とする請求項４に記載のバーナー。
【請求項６】
前記第１の管と第２の管との間に形成される空間を終結させる前記２つの同心オリフィス環のオリフィスの角度は異なり、前記オリフィスの配向の角度の間の差異は、少なくとも５°であることを特徴とする請求項５に記載のバーナー。
【請求項７】
前記第１の管と第２の管との間に形成される空間を終結させる小さい方の前記環のオリフィスは、前記バーナーの中心軸に対して前記バーナーの周縁に向けて、５°から４５°までの間の角度に配向されていることを特徴とする請求項４ないし６のうちのいずれか１項に記載のバーナー。
【請求項８】
前記第１の管と第２の管との間に形成される空間を終結させる大きい方の前記環のオリフィスは、前記バーナーの中心軸に対して前記バーナーの周縁に向けて、１０°から５０°までの間の角度に配向されていることを特徴とする請求項４ないし７のうちのいずれか１項に記載のバーナー。
【請求項９】
点火バーナーが、前記第１の管に配置されていることを特徴とする請求項１ないし８のうちのいずれか１項に記載のバーナー。
【請求項１０】
前記第４の管と第５の管との間に形成される最外部の空間は、前記クラウス炉に面する側において、前記バーナーへのガスの噴射方向で前記バーナーの中心に向けて配向される燃料噴射器に終結することを特徴とする請求項１ないし９のうちのいずれか１項に記載のバーナー。
【請求項１１】
前記第４の管と第５の管との間に形成される空間を終結させる前記燃料噴射器は、少なくとも１つのオリフィス環が穿孔された少なくとも１つの金属環の形態をなすことを特徴とする請求項１ないし１０のうちのいずれか１項に記載のバーナー。
【請求項１２】
前記第４の管と第５の管との間に形成される最外部の空間を終結させる前記オリフィス環のオリフィスは、前記バーナーの中心軸に対して前記バーナーの中心に向けて、５°から４５°までの間の角度に配向されていることを特徴とする請求項１ないし１１のうちのいずれか１項に記載のバーナー。
【請求項１３】
前記第３の管と第４の管との間に配置される中間の管を具備することを特徴とする請求項１ないし１２のうちのいずれか１項に記載のバーナー。
【請求項１４】
前記第３の管と中間の管との間に形成される空間は、前記クラウス炉に面する側において、前記バーナーへのガスの噴射方向で前記バーナーの中心に向けて配向される燃料噴射器に終結することを特徴とする請求項１ないし１３のうちのいずれか１項に記載のバーナー。
【請求項１５】
前記第３の管と中間の管との間に形成される空間を終結させる前記燃料噴射器は、少なくとも１つのオリフィス環が穿孔された金属環の形態をなすことを特徴とする請求項１ないし１４のうちのいずれか１項に記載のバーナー。
【請求項１６】
前記第３の管と第４の管との間に形成される空間を終結させる前記環のオリフィスは、前記バーナーの中心軸に対して前記バーナーの中心に向けて、５°から４５°までの間の角度に配向されていることを特徴とする請求項１ないし１５のうちのいずれか１項に記載のバーナー。
【請求項１７】
前記第３の管と中間の管との間に形成される空間、および、前記第３の管と第４の管との間に形成される空間は、同一の酸素含有ガス供給源に連通することを特徴とする請求項１３ないし１６のうちのいずれか１項に記載のバーナー。
【請求項１８】
バルブが、前記酸素含有ガス供給源と、前記第３の管と中間の管との間に形成される空間との間に配置されていることを特徴とする請求項１ないし１７のうちのいずれか１項に記載のバーナー。
【請求項１９】
アンモニア含有ガスとしての硫化水素とアンモニアを含有するガス流、および、酸性ガスとしての硫化水素を含有しアンモニアを含有しないガス流のためのクラウス炉内で、少なくとも１種の酸素含有ガス流を使用する部分酸化法において、
請求項１ないし１８のうちのいずれか１項に記載のバーナーが使用され、
処理対象アンモニア含有ガスのＮＨ３含有量が、前記バーナーに設計されたアンモニア含有ガスの平均ＮＨ３含有量よりも多い場合には、前記中央管の前記クラウス炉に面する側の端部が、前記他の管の端部とは異なる平面上に位置するように配置され、
前記処理対象アンモニア含有ガスのＮＨ３含有量が、前記バーナーに設計された前記アンモニア含有ガスの平均ＮＨ３含有量よりも少ないかまたは同等である場合には、前記中央管の前記クラウス炉に面する側の端部が、前記他の管の端部と同一平面上に位置するように配置され、
前記アンモニア含有ガスが、前記第１および第２の管により形成される空間に噴射され、
前記酸性ガスが、前記第４の管および第５の管により形成される空間に噴射され、
酸素に富むガスが、前記第２の管および第３の管により形成される空間に噴射され、
酸素が少ない方のガスが、前記第３の管および第４の管により形成される空間に噴射されることを特徴とする部分酸化法。
【請求項２０】
請求項１８に記載のバーナーが使用され、前記バルブの開口（ｏｐｅｎｉｎｇ）は、前記第３の管と中間の管との間に形成される空間と、前記酸素が少ない方のガスの供給源との間に配置され、該バルブの開口は、前記酸性ガスの流速に従って制御されることを特徴とする請求項１９に記載の方法。
【請求項２１】
前記酸素含有ガスは、２５モル％を超える含有量、好ましくは４０モル％から１００モル％までの間の含有量にまで酸素富化された空気であることを特徴とする請求項１９または２０のいずれか一方に記載の方法。
【請求項２２】
前記酸素に富むガスは、純酸素であることを特徴とする請求項１９ないし２１のうちのいずれか１項に記載の方法。
【請求項２３】
酸性ガスとしての硫化水素を含有しアンモニアを含有しないガス流のためのクラウス炉内で、少なくとも１種の酸素含有ガス流を使用する部分酸化法において、
請求項１ないし１８のうちのいずれか１項に記載のバーナーが使用され、
前記酸性ガスが、前記第１の管および第２の管により形成される空間と、前記第４の管および第５の管により形成される空間とに噴射され、および、
少なくとも１種の酸素含有ガスが、前記第２の管および第３の管により形成される空間と、前記第３の管および第４の管により形成される空間とに噴射されることを特徴とする部分酸化法。
【発明の詳細な説明】
【０００１】
本発明は、クラウス炉において、酸素に富むガス流との反応による硫化水素およびアンモニアを含有するガス流のためのバーナーおよび部分酸化法に関する。
【０００２】
硫化水素に富むガス流は、多くの工場、特に、石油精製工場および天然ガスの製造所より発生する廃ガスである。特に、環境的な理由のため、これらの硫化水素に富むガスは、それ自体を大気中に放出することはできない。このため、それらの硫化水素含有量を実質的に減少させる目的で、それらを処理する必要がある。これらの硫化水素に富むガスを処理するための周知の方法は、一般にクラウス法（Ｃｌａｕｓ　ｐｒｏｃｅｓｓ）と呼ばれる、改良クラウス法である。
【０００３】
このクラウス法は、熱的な部分と触媒的な部分とを含む。熱的な部分では、２つの主要な反応が行われる。第１の反応は、以下に示すように、水と二酸化硫黄とを生成するために、硫化水素の一部を酸素と反応させることにある。
Ｈ２Ｓ＋３／２Ｏ２→Ｈ２Ｏ＋ＳＯ２　　　…（ｉ）
この第１の反応により、処理される硫化水素のおよそ１／３が酸化される。残りの２／３は、クラウス反応と呼ばれる以下に示す反応に従って、上記第１の工程中に生成される二酸化硫黄と反応する。
２Ｈ２Ｓ＋ＳＯ２→３／２Ｓ２＋２Ｈ２Ｏ　　　…（ｉｉ）
この燃焼生成物は、その後、熱回収ボイラー内で冷却され、その後、硫黄元素が液体の形態で回収される第１の冷却器（凝縮器）で冷却される。ガスは、その後、それらが１またはそれ以上の触媒床（これらの床は、それぞれが冷却器の後に続く）で処理され得る温度にまで再加熱される。クラウス反応は、Ｈ２Ｓの残渣の灰化工程である、この方法の最終工程から生じる二酸化硫黄の排出を管理する基準と一致する硫化水素転化率が得られるまで触媒床の上でも続く。２つまたは３つの触媒床では、二酸化硫黄の排出基準に到達させることができない場合には、廃ガスが最終の焼却炉に送られる前に、後ガス処理装置を追加してもよい。
【０００４】
精製所で処理された硫化水素に富むガス流は、ときに、硫化水素に加えてアンモニアを含有することがある。これは、例えば、このプロセス（例えば、特に、高い水素化脱硫チャージの場合の水素化分解または触媒分解工程）の凝縮物が、酸性水ストリッパから生ずる廃ガスを伴う場合に、硫化水素とアンモニアとを回収するように流動−分解除去（ｓｔｒｅａｍ−ｓｔｒｉｐｐｅｄ）される。一般的には、これらのガスは、三分の一が硫化水素、三分の一がアンモニアおよび三分の一が水蒸気で構成される。
【０００５】
クラウス法によるこれらのガス流の処理中において、クラウス装置の操作上の深刻な問題を回避するために、クラウス装置内でのアンモニアの分解は、可能な限り完全になされなければならない。この理由は、熱回収ボイラーの下流での、冷却器（凝縮器）の冷却ラインまたは出口側におけるアンモニウム塩の堆積は、妨害物、装置の処理能力の低下および最終的には二酸化硫黄の排出の増加を引き起こす原因になり得るからである。クラウス法が実行されているときに、アンモニアは、クラウス法の第１の反応（ｉ）と同時に起こる種々の化学反応（酸化、熱的解離）により分解することができる。
【０００６】
硫化水素を含有するガス中に存在するアンモニアの分解は、高温が有利であることが認識されている。この分解は、空気だけを含むクラウス酸化法か、あるいは空気および酸素の両方を含むクラウス酸化法で実行され得る。
【０００７】
空気だけを含む酸化法では、硫化水素およびアンモニアを含有するガスの処理は、以下のように行われ得る、すなわち、
−アンモニアを含有しないガスの一部または全部のバイパスを備えた２ゾーン炉（ｔｗｏ−ｚｏｎｅ　ｆｕｒｎａｎｃｅ）を使用することにより行われる。この解決法は、アンモニアを含有するガスの全てが酸化される第１ゾーンの温度を上昇させることができる。これの欠点は、アンモニアを含有しないガス中に存在する炭化水素タイプまたはアミンタイプの混入物の不十分な分解を引き起こすことがあり、さらに、アンモニウム塩の堆積以外の問題（例えば、下流の触媒のコーキング）を引き起こすことがあることである。
【０００８】
−あるいは、反応炉の中の温度を上昇させるために精製所の燃料ガスを使用することにより行われる。この作業による主な欠点は、阻害の結果となり得る何かで、装置を通過するガスの量が増加することである。加えて、精製所の燃料ガスをクラウス炉に導入することは、燃料ガスが、クラウス炉から生ずるガス中に多量のＣＯ２を含有する場合に、ＣＳ２およびＣＯＳ含有量を増加させる傾向を有し、そして、これは、炉の下流側にある触媒床の処理能力の低下に繋がる。
【０００９】
空気および酸素の両方を含む酸化法では、すなわち、燃焼空気が空気／酸素混合物に置き換わる酸化法では、硫化水素およびアンモニアを含有するガスのよりよい処理を行うことができる。これは、燃焼空気の酸素の富化は、反応炉内の温度を上昇させ、これにより、アンモニアの分解を促進するためである。しかしながら、この場合、アンモニアを含有するガスの温度が上昇するばかりでなく、アンモニアを含有しないガスの温度も上昇する。従って、使用される酸素の量は、最適化されない。さらに、得られる温度は、必ずしも使用されるバーナーの金属学的な特徴に適合するとは限らない。
【００１０】
酸素の使用の問題点を解決するために、特異的にアンモニアを含有するガスの温度を上昇させるために、以下の分離供給に供される特定のバーナーをここに提案した。すなわち、
−空気のための供給路、
−純酸素のための、または、酸素富化された空気のための供給路、
−アンモニアを含有するガスのための供給路、および、
−アンモニアを含有しないガスのための供給路。
【００１１】
これら特定のクラウスバーナーを使用することにより、種々のガス流を分離して制限し、火炎の内側に、より高温域（ｈｏｔｔｅｒ　ｚｏｎｅ）またはより低温域（ｃｏｏｌｅｒ　ｚｏｎｅ）を得ることを可能にした。これは、局在化された温度をアンモニアの分解専用に上昇させると同時に、その他のガスの酸化のために、いわゆる「より低温（ｃｏｏｌｅｒ）」の温度と、炉の耐火物との接触とを維持することを可能にする。このタイプのバーナーは、例えば、欧州特許出願ＥＰ−Ａ１−０８１０９７４号およびＥＰ−Ａ１−０９７４５５２号に開示されている。
【００１２】
これら従来のクラウスバーナーの大きさ決めは、他の特性との間も考慮して、平均的なアンモニア含有量と平均的な流速をもつ基準アンモニア含有ガスに基づいて行われる。ここで、「大きさ決め（ｄｉｍｅｎｓｉｏｎｉｎｇ）」という用語は、バーナーに種々のガスを供給する管の直径を本質的に意味するものと解される。しかしながら、クラウス装置の上流に位置する精製装置の運転条件（例えば、水素化分解または水素化脱硫装置の苛酷さ）に従い、処理対象ガスのアンモニウム含有量は、基準アンモニア含有ガスの含有量に対して、一時的にまたは常時、大きく変化し得るものである。例えば、水素化分解を含む精製サイトにおいて、この水素化分解が行われるか否かによって、処理対象ガスのアンモニア含有量は、１５％から３５％までの間で変化する。この変化はまた、酸性水除去装置の不十分な運用（例えば、冷却器の機能低下）の原因ともなり得る。完全にアンモニアを分解するために噴射される酸素の量は、そのときどきで異なる。このため、クラウス装置内でアンモニアの最適な除去を得ることを望むならば、クラウスバーナーの大きさ決めは異なるものとなるべきである。しかしながら、バーナーの寸法を変えることは、バーナー自体を変えることを意味し、これは処理対象ガスの目に付く明らかな変化ごとには把握できないものである。
【００１３】
従って、本発明の課題は、分離したガス供給路を有するクラウスバーナーで処理されるアンモニア含有ガスの平均的な特質、特に、ＮＨ３含有量の変化に対処することにある。
【００１４】
本発明の第一の目的は、アンモニアの完全分解を完了させる、クラウス炉における酸化法を提供することにある。
【００１５】
本発明のもう一つの目的は、酸化対象ガスの平均アンモニア含有量がどの程度であっても、アンモニアの完全分解を完了させ得るクラウス炉における酸化法を提供することにある。
【００１６】
これらの目的を達成するために、本発明は、第一に、少なくとも５つの同心管（Ｔ１〜Ｔ５）で構成され、これらはガスの導入のための５つの同心空間を形成し、第１の管（Ｔ１）は、最小の直径を有する管であり、第５の管（Ｔ５）は、最大の直径を有する管である、クラウス炉用ガスバーナーに関する。これにおいて、
−第３、第４および第５の管のクラウス炉に面する側にある端部は、同一平面上にあり、
−２つの中央管（Ｔ１，Ｔ２）は、互いに締結され、他の管（Ｔ３〜Ｔ５）に関して、バーナーの長手中心軸に沿って可動であり、それらのクラウス炉に面する側にある端部は、他の３つの管の端部により形成される面を越えて進むことはできず、
−第１の管（Ｔ１）と第２の管（Ｔ２）との間に形成される空間は、クラウス炉に面する側において、バーナーへのガスの噴射方向でバーナーの周縁に向けて配向される燃料噴射器に終結する。
【００１７】
本発明のさらなる特徴および利点は、以下の説明を読むことで明らかにされる。本発明の実施の形態および方法は、添付の図面に示される実施例に限定されないように与えられる。
【００１８】
本発明は、同軸の管により互いに別々に分けられた５つの異なる流路を介してガスを導入するバーナーに関する。一方では、これらの管の端部は、噴射されたガスが燃焼されるクラウス炉に達する。他方では、これらの管のそれぞれは、ガス供給源に連通している。大径の３つの管（Ｔ３，Ｔ４，Ｔ５）は、動かないように固定されている。これらの３つの管の炉に面する側にある端部は、管の中心軸に対して直交する同一平面上にある。小径の２つの管（Ｔ１，Ｔ２）は、互いに固定され、それらの炉に面する側にある端部は、管の中心軸に対して直交する同一平面上にある。しかし、これらの２つの管の組み合せは、他の３つの管に対して相対移動させることができる。このように、この２つの管の組み合せは、管の中心軸に沿って、すなわちまた、バーナーの長手中心軸に相当する軸に沿って、この軸の両方向に摺動可能である。しかしながら、この前方または後方への動きは、炉に面する側においては、小径の２つの管の端部を、他の３つの管の端部を越えて進めさせることはない。
【００１９】
この２つの中央管（Ｔ１，Ｔ２）の動きは、当業者に周知の何らかの手段、特に、一般的に、これらの２つの管の炉に対して反対側の端部に配置される、メカニカルベローズを使用する何らかの手段により得ることができる。このベローズは、ベローズの長手軸が第１および第２の管（Ｔ１，Ｔ２）と平行になるように、そして、ベローズの第１の端部が固定され、ベローズの第２の端部が可動であり、第２の管（Ｔ２）の外壁と協同することができるように、配置することができる。このようにして、ベローズを縮めたり、伸ばしたりすることにより、第２の管（Ｔ２）の外壁と協同するベローズの第２の端部は、その動きに従って、第２の管（Ｔ２）と第１の管（Ｔ１）とを動かすことができる。これは、第１の管（Ｔ１）は、第２の管（Ｔ２）に締結されているためである。このメカニカルベローズは、一般的には、ネジにより制御され、このネジは回転する方向に従って、ベローズを縮め、あるいは、伸ばし、これによって中央管（Ｔ１，Ｔ２）を前進または後退させる。
【００２０】
本発明に従えば、第１の管（Ｔ１）と第２の管（Ｔ２）との間に形成される空間を終結させる燃料噴射器は、それに導入されたガスが、バーナーへのガスの噴射方向でバーナーの周縁に向けて方向付けられるような形状を有していなければならない。そのような燃料噴射器は、第１および第２の管の炉に面する側にある端部を、バーナーの周縁に向けて曲げることにより得ることができる。また、燃料噴射器は、少なくとも１つのオリフィス環（Ｃ１−２）が穿孔された金属環の形態としてもよい。ここで、「オリフィス環（ｒｉｎｇ　ｏｆ　ｏｒｉｆｉｃｅｓ）」という表現は、バーナーの中心軸から全て等距離に配置されたオリフィスを意味するものと解釈される。上記実施形態に従えば、金属環は、バーナーへのガスの噴射方向でバーナーの周縁に向けて配向された２つの同心オリフィス環（Ｃ１，Ｃ２）が穿孔されている。実用上の理由により、同じオリフィス環の中の全てのオリフィスは、一般的には、バーナーの中心軸に対して同じ角度に配向されている。しかしながら、また、オリフィスは、異なる角度に配向することもでき、この態様では、乱流効果によりガスをよりよく混合させることができる。もしも、２つの同心オリフィス環のそれぞれについて、同じオリフィス環の中の全てのオリフィスが、バーナーの中心軸に対して同じ角度に配向されているならば、２つの同心オリフィス環の中のオリフィスの角度は、好ましくは異なり、これらの配向の角度の間の差異は、少なくとも５°である。このように、小さい方のオリフィス環のオリフィスは、バーナーの中心軸に対してバーナーの周縁に向けて、５°から４５°までの間の角度に配向することができる。大きい方の環のオリフィスは、バーナーの中心軸に対してバーナーの周縁に向けて、１０°から５０°の間の角度に配向することができる。第１の管と第２の管との間に形成される空間は、通常、炉とは反対の端部において、アンモニア含有ガスと呼ばれる、硫化水素およびアンモニアを含有するガスの供給源に連通している。
【００２１】
点火バーナーは、第１の管に配置することができ、この点火バーナーの直径は、点火ガス（精製所の燃料ガス）を第１の管の残りの自由空間に導入することができるように、第１の管の直径よりも小さくなければならない。一般に、第１の管Ｔ１が動かされるとき、その動きは、点火バーナーを動かす原因にはならない。
【００２２】
第２の管（Ｔ２）と第３の管（Ｔ３）との間に形成される空間は、通常、酸素含有ガス供給源に連通している。
【００２３】
好ましくは、第４の管（Ｔ４）と第５の管（Ｔ５）との間に形成される最外部の空間は、クラウス炉に面する側において、バーナーへのガスの噴射方向でバーナーの中心に向けて配向された燃料噴射器に終結する。そのような燃料噴射器は、第４および第５の管の炉に面する側の端部を、バーナーの中心に向けて曲げることにより得るようにしてもよい。また、燃料噴射器は、この空間を閉じ、この空間内にあるガスの通過のための少なくとも１つのオリフィス環が穿孔された金属環の形態にするようにしてもよい。これらのオリフィスは、それらがバーナーへのガスの噴射方向でバーナーの中心に向けて配向されるように、金属環に穿孔される。実用上の理由から、オリフィス環にある全ての孔が、バーナーの中心軸に対して同じ角度に配向されることが好ましい。しかしながら、オリフィスはまた、異なる角度に配向するようにしてもよく、この態様では、乱流効果によりガスをよりよく混合させることができる。同じオリフィス環のオリフィスが、バーナーの中心軸に対して同じ角度に配向される前に、環のこれらのオリフィスは、バーナーの中心軸に対してバーナーの中心に向けて、好ましくは５°から４５°までの間、より好ましくは１０°から２０°までの間の角度に配向される。これらのオリフィスの断面は、いかなる形状にもすることができる。第４の管と第５の管との間に形成される空間は、通常、酸性ガスと呼ばれる、硫化水素を含有しアンモニアを含有しないガスの供給源に連通される。
【００２４】
本発明のもう一つの態様に従えば、バーナーは、第３の管（Ｔ３）と第４の管（Ｔ４）との間に配置される中間の管（Ｔ３’）を具備する。この中間の管（Ｔ３’）は、第３、第４および第５の管（Ｔ３，Ｔ４およびＴ５）と同じように固定され、その炉に面する側にある端部は、第３、第４および第５の管（Ｔ３，Ｔ４およびＴ５）の中心軸に対して直交する同一平面上にある。このもう一つの態様に従えば、第３の管（Ｔ３）と中間の管（Ｔ３’）との間に形成される空間は、好ましくは、クラウス炉に面する側において、バーナーへのガスの噴射方向でバーナーの中心に向けて配向された燃料噴射器に終結する。このような燃料噴射器は、第３の管（Ｔ３）および中間の管（Ｔ３’）の炉に面する側にある端部を、バーナーの中心に向けて曲げることにより得ることができる。炉に面する側において、この燃料噴射器もまた、この空間の端部から離れて閉じ、この空間内にあるガスの通過のための少なくとも１つのオリフィス環が穿孔された金属環（Ｃ３−３’）の形態にすることができる。これらのオリフィスは、それらが、バーナーへのガスの噴射方向でバーナーの中心に向けて配向されるように、金属環に穿孔される。実用上の理由から、オリフィス環にある全てのオリフィスは、バーナーの中心軸に対して同じ角度に配向されることが好ましい。しかしながら、オリフィスはまた、異なる角度に配向することもでき、この態様では、乱流効果によりガスをよりよく混合させることができる。同じオリフィス環の中の全てのオリフィスが、バーナーの中心軸に対して同じ角度に配向されるならば、これらのオリフィスは、バーナーの中心軸に対してバーナーの中心に向けて、好ましくは５°から４５°までの間の角度に配向される。これらのオリフィスは、いかなる形状であってもよい。
【００２５】
後者のもう一つの態様に従えば、第３の管（Ｔ３）と中間の管（Ｔ３’）との間に形成される空間および第３の管（Ｔ３）と第４の管（Ｔ４）との間に形成される空間は、同一の酸素含有ガス供給源に連通することができる。一般に、バルブは、酸素含有ガス供給源と、第３の管（Ｔ３）と中間の管（Ｔ３’）との間に形成される空間との間に配置される。
【００２６】
５つの管の直径および環（燃料噴射器）のオリフィスの直径は、管内の流速とバーナーの前端（ｎｏｓｅ）における流速との比率に従って決定され、バーナーに導入されるこれらのガスのそれぞれに対して与えることが望ましい。管内の流速は、バーナーに流入するガス流の平均流速に依存する。酸素に富むガスの流速は、それらの酸素濃度、酸性ガス流の流速、およびアンモニア含有ガスの平均ＮＨ３含有量に、直接的に依存する。ガス流の平均流速は、本発明の方法が行われる精製所により設定され、それ自身は、クラウス装置の処理能力（クラウス炉の容積および当該クラウス炉の出口に設けられる熱交換器の特性）により制限される。これらのパラメータに従って、望ましい流速と流速比が得られるように、当業者は、管の直径およびオリフィスの直径を完全に決定することができる。
【００２７】
一般に、環のオリフィスの直径は、以下のようにすることができる。すなわち、
−酸素に富むガスの流速に対するアンモニア含有ガスの流速比が、０．１から０．８までの間にあるか、または、１．２から５までの間にあり、この流速は、炉に面する側にあるバーナーの端部で得られるものとし、また、
−酸素が少ない方のガスの流速に対する酸性ガスの流速比が、０．１から０．８までの間にあるか、または、１．２から５までの間にあり、この流速は、炉に面する側にあるバーナーの端部において得られるものとする。
【００２８】
本発明に従うバーナーは、好ましくは、クロムを含有するオーステナイト合金および高ニッケル含有物から作られる。
【００２９】
本発明はまた、酸素含有ガスを使用する、アンモニア含有ガスとしての硫化水素およびアンモニアを含有するガス流、および、酸性ガスとしての硫化水素を含有しアンモニアを含有しないガス流のための、クラウス炉における第１の部分酸化法に関する。この方法においては、
−上述したバーナーを使用し、
−処理対象アンモニア含有ガスのＮＨ３含有量が、バーナーに設計されたアンモニア含有ガスの平均ＮＨ３含有量よりも多い場合には、中央管（Ｔ１，Ｔ２）は、それらの炉に面する側にある端部が、他の管（Ｔ３〜Ｔ５）の端部の面とは異なる平面上にあるように配置し、
−処理対象アンモニア含有ガスのＮＨ３含有量が、バーナーに設計されたアンモニア含有ガスの平均ＮＨ３含有量よりも少ないかまたは同等である場合には、中央管（Ｔ１，Ｔ２）は、それらの炉に面する側にある端部が、他の管（Ｔ３〜Ｔ５）の端部の面と同一平面上にあるように配置し、
−アンモニア含有ガスは、第１および第２の管（Ｔ１，Ｔ２）で形成される空間に噴射し、
−酸性ガスは、第４および第５の管（Ｔ４，Ｔ５）で形成される空間に噴射し、
−酸素に富むガスは、第２および第３の管（Ｔ２，Ｔ３）で形成される空間に噴射し、そして、
−酸素が少ない方のガスは、第３および第４の管（Ｔ３，Ｔ４）で形成される空間に噴射する。
【００３０】
この第１の方法で使用されるバーナーは、上述したバーナーの特徴を有する。さらに、このバーナーは、これに導入されるアンモニア含有ガスに含まれるアンモニアの完全な除去のために設計され、また、アンモニア含有ガス中のＮＨ３濃度の平均値を予定して設計されており、中央管（Ｔ１，Ｔ２）が、前方の位置と呼ばれる、炉に面する側にあるバーナーの端部に向けて完全に押されたときに、アンモニアは、この平均値にまで完全に除去される。
【００３１】
本発明のこの第１の方法に従えば、アンモニアの存在が原因でクラウス装置の運転条件に目立った大きな変化が認められたとき、または、アンモニア含有ガスを製造する精製所装置の運転条件に目立った大きな変化が認められたときに、処理対象アンモニア含有ガス中の平均ＮＨ３含有量が測定される。処理対象アンモニア含有ガスのＮＨ３濃度の測定値と、バーナーに設計されたアンモニア含有ガスの平均ＮＨ３濃度値との間の差異に従って、中央管（Ｔ１，Ｔ２）の端部は、炉に面する側にあるバーナーの端部に相当する他の管（Ｔ３〜Ｔ５）の端部に関して配置される。従って、処理対象アンモニア含有ガスのＮＨ３含有量の測定値が、バーナーに設計されたアンモニア含有ガスの平均ＮＨ３濃度値よりも大きい場合には、中央管（Ｔ１，Ｔ２）の炉に面する側にある端部は、他の管（Ｔ３〜Ｔ５）の炉に面する側にある端部からさらに遠く離される。従って、炉の中央管は、後方に動かされる。この操作は、炉に面する側にある２つの中央管（Ｔ１，Ｔ２）の端部において、処理対象アンモニア含有ガスを酸素が多い方のガスと混合させ、さらにこれにより、この時点での火炎の温度を上昇させ、また、その結果として、アンモニアの転化率を上昇させるという効果を奏する。従って、処理対象アンモニア含有ガス中のアンモニア濃度の増加に対応することができ、さらに、バーナーを変えることなく、この種の効果的な分解を得ることができる。一方、処理対象アンモニア含有ガス中のＮＨ３含有量の測定値が、バーナーに設計されたアンモニア含有ガスの平均ＮＨ３含有量よりも少ないか、または同等である場合には、中央管は、全ての管（Ｔ１〜Ｔ５）の炉に面する側にある端部が同一平面上に位置するように、またこれにより、処理対象アンモニア含有ガスを酸素が少ない方のガスと混合させるように、炉に面する側にあるバーナーの端部に向かって押される。
【００３２】
本発明に従うこの第１の方法は、一般的に、従来のクラウス炉において行われる。
【００３３】
この第１の方法に従えば、中間の管（Ｔ３’）を具備するバーナーを使用することができ、前述したように、これに対してバルブは、酸素が少ない方のガスの供給源と、第３の管（Ｔ３）と中間の管（Ｔ３’）との間に形成される空間との間に配置される。そのようなバーナーが使用されるとき、第３の管（Ｔ３）と中間の管（Ｔ３’）との間に形成される空間と、酸素が少ない方のガスの供給源との間に配置されるバルブの開口は、特に、装置の運転開始時または酸素供給の停止時に、酸性ガスの流速に従って制御することができる。
【００３４】
本発明に従うこの第１の方法は、いかなる種類のアンモニア含有ガスにも適用される。一般に、アンモニア含有ガス流中の硫化水素濃度は、一般的には、１０モル％から９０モル％までの間にあり、このガス流中のアンモニア濃度は、一般的には、５モル％より大きいか、または同等であり、好ましくは、１０モル％から６０モル％までの間にある。このガスはまた、１０モル％から６０モル％までの水蒸気を含有し得る。
【００３５】
本発明に従う第１の方法において、酸素含有ガスは、空気または酸素富化された空気とすることができ、後者は、好ましくは２５モル％を超える含有量にまで、より好ましくは４０モル％から１００モル％までの間の含有量にまで富化されたものであり、１００％まで酸素富化されたガスは、純酸素に相当する。酸素が富化された前記ガスに対する酸素含有量とは、前記富化されたガスの酸素のモル分率に相当する。例えば、酸素５０％まで富化された空気は、５０モル％酸素を含有するガス混合物からなる。上記実施形態に従えば、酸素に富むガスは、酸素富化された空気、または純酸素であり、酸素が少ない方のガスは、空気である。使用されるバーナーが、第３の管と第４の管との間に中間の管（Ｔ３’）を備える場合、酸素が少ない方のガスは、第３の管および中間の管により形成される空間および中間の管および第４の管により形成される空間に、同時に導入することができる。これらの２つの空間は、同一の酸素が少ない方のガスの供給源に連通している。
【００３６】
本発明の第１の方法に従えば、酸性ガスとしての硫化水素を含有しアンモニアを含有しないガスのアンモニア含有量は、５モル％未満（＜５％）である。このガス流中の硫化水素濃度は、少なくとも１０モル％、より一般的には６０モル％から９５モル％までの間とすることができる。酸性ガス流は、実質的には、硫化水素および次の化合物のうちの少なくとも１つからなる。すなわち、蒸気、二酸化炭素、炭化水素およびその他の硫黄の化合物である。
【００３７】
本発明はまた、少なくとも１種の酸素含有ガス流を使用する、酸性ガスとしての硫化水素を含有しアンモニアを含有しないガス流のためのクラウス炉における第２の部分酸化法に関する。この方法においては、
−前述したバーナーを使用し、
−酸性ガスを、第１の管（Ｔ１）および第２の管（Ｔ２）により形成される空間と、第４の管（Ｔ４）および第５の管（Ｔ５）により形成される空間とに噴射し、また、
−少なくとも１種の酸素含有ガスを、第２の管（Ｔ２）および第３の管（Ｔ３）により形成される空間と、第３の管（Ｔ３）および第４の管（Ｔ４）により形成される空間とに噴射する。
【００３８】
この第２の方法は、一般的に、アンモニア含有ガスを入手できないとき、例えば、アンモニア含有ガスを製造する精製装置の操業停止時に、前述した第１の方法の代わりとして行われる。この場合、酸性ガスが、アンモニア含有ガスの代わりに、第４の管（Ｔ４）および第５の管（Ｔ５）により形成される空間への通常の導入に加えて、第１の管（Ｔ１）および第２の管（Ｔ２）により形成される空間にも導入される。
【００３９】
酸性ガスの噴射と同時に、少なくとも１種の酸素含有ガスが、第２の管（Ｔ２）および第３の管（Ｔ３）により形成される空間と、第３の管（Ｔ３）および第４の管（Ｔ４）により形成される空間とに噴射される。本発明に従う第１の方法での操作で説明したように、同一の酸素含有ガス（一般的に、空気）をこれらの空間に導入するか、あるいは、異なる酸素濃度を有するガスを導入するかのいずれか一方を行うことができる。
【００４０】
図１、図２および図３は、本発明に従うバーナーおよび第１の方法を説明するものである。バーナーは、６つの同心空間を形成する６つの同心管（Ｔ１，Ｔ２，Ｔ３，Ｔ３’，Ｔ４，Ｔ５）からなる。炉に面する側にある端部では、
−第１の管（Ｔ１）および第２の管（Ｔ２）により形成される空間は、２つのオリフィス環（Ｃ１，Ｃ２）に至り、前記オリフィスは、円形の断面を有し、
−第３の管（Ｔ３）および中間の管（Ｔ３’）により形成される空間は、オリフィス環（Ｃ３−３’）に至り、前記オリフィスは、円形の断面を有し、
−第４の管（Ｔ４）および第５の管（Ｔ５）により形成される空間は、オリフィス環（Ｃ４−５）に至り、前記オリフィスは、楕円形の断面を有する。
【００４１】
第１の管（Ｔ１）および第２の管（Ｔ２）により形成される空間の端部において、小さい方の直径の環（Ｃ１）の中の全てのオリフィスは、バーナーの中心軸に対して、バーナーの周縁に向けて同じ角度に配向され、大きい方の直径の環（Ｃ２）の中の全てのオリフィスは、バーナーの中心軸に対して、バーナーの周縁に向けて同じ角度に配向されている。第３の管（Ｔ３）および中間の管（Ｔ３’）により形成される空間の端部において、環（Ｃ３−３’）の中の全てのオリフィスは、バーナーの中心軸に対して、バーナーの中心に向けて同じ角度に配向されている。第４の管（Ｔ４）および第５の管（Ｔ５）により形成される空間の端部において、環（Ｃ４−５）の中の全てのオリフィスは、バーナーの中心軸に対して、バーナーの中心に向けて同じ角度に配向されている。
【００４２】
点火バーナー（５）は、火炎を点火するために第１の管（Ｔ１）に配置されている。精製所の燃料ガス（７）もまた、火炎を点火し、それを維持するために、この空間に導入される。
【００４３】
ベローズ（６）は、一端部（６１）において管（Ｔ２）に固定され、他端部（６２）において静止管（Ｔ３）に固定されている。ネジ（６３）は、ベローズを縮める、あるいは、伸ばすことができる。
【００４４】
以下に示すものは、バーナーへと導入される。すなわち、
−第１の管（Ｔ１）および第２の管（Ｔ２）により形成される空間へと硫化水素およびアンモニアを含有するガス（１）が、
−第２の管（Ｔ２）および第３の管（Ｔ３）により形成される空間へと酸素に富むガス（２）が、
−第３の管（Ｔ３）および中間の管（Ｔ３’）により形成される空間、および、中間の管（Ｔ３’）および第４の管（Ｔ４）により形成される空間へと酸素が少ない方のガス（３）が、および、
−第４の管（Ｔ４）および第５の管（Ｔ５）により形成される空間へと酸性ガス（４）が導入される。
【００４５】
アンモニア含有ガスのアンモニア含有量の値が、バーナーの設計時に予定されていたこのガスの平均アンモニア含有量よりも大きいならば、中央管（Ｔ１，Ｔ２）は、ベローズの変位を制御するネジを操作することにより、後方の位置に向けて押し戻される。これにより、アンモニア含有ガスのアンモニア含有量の値が、バーナーの設計時に予定されていたこのガスの平均アンモニア含有量に近くなるか、あるいは、小さくなれば、中央管（Ｔ１，Ｔ２）は、これと同じネジを操作することにより、前方の位置へと押される。
【図面の簡単な説明】
【図１】図１は、本発明に従うバーナーの端部の概略部分断面図である。
【図２】図２は、本発明に従うバーナーの概略正面図である。
【図３】図３は、本発明に従うバーナーの詳細図である。
【符号の説明】
１…硫化水素およびアンモニアを含有するガス、
２…酸素に富むガス、３…酸素が少ない方のガス、４…酸性ガス、
５…点火バーナー、６…ベローズ、７…燃料ガス、
６１，６２…ベローズの端部、６３…ネジ、
Ｔ１…第１の管、Ｔ２…第２の管、Ｔ３…第３の管、
Ｔ３’…中間の管、Ｔ４…第４の管、Ｔ５…第５の管。
【図１】
2004513322.tif 000003
【図２】
2004513322.tif 000004
【図３】
2004513322.tif 000005
【国際公開パンフレット】
2004513322.tif 000006
2004513322.tif 000007
2004513322.tif 000008
2004513322.tif 000009
2004513322.tif 000010
2004513322.tif 000011
2004513322.tif 000012
2004513322.tif 000013
2004513322.tif 000014
2004513322.tif 000015
2004513322.tif 000016
2004513322.tif 000017
2004513322.tif 000018
2004513322.tif 000019
2004513322.tif 000020
2004513322.tif 000021
2004513322.tif 000022
2004513322.tif 000023
2004513322.tif 000024
2004513322.tif 000025
2004513322.tif 000026
【国際調査報告】
2004513322.tif 000027
2004513322.tif 000028
2004513322.tif 000029
2004513322.tif 000030
2004513322.tif 000031
2004513322.tif 000032